(57)【要約】【課題】遊技盤及びフレームを複数の部材から形成し、連結部の厚みが薄くても十分な強度を有するパチンコ機を提供する。【解決手段】複数の部材を連結してなる遊技盤又はフレーム部材において、これら部材間を連結する際に、凸部と凹部とを嵌合させるとともに、凸部と凹部との間に跨って金属部材を添設させる。その結果、部材の凸部及び／または凸部を薄く形成した場合であっても、連結部は十分な強度を有し、かつ連結部全体としての厚みは薄いパチンコ機を提供することができる。【選択図】  図４
2010075282.tif 000002
【特許請求の範囲】
【請求項１】
パチンコ機本体を支持する機枠に、遊技球が流下する遊技領域を前面に有する遊技盤が、フレーム部材を介して設置されてなり、前記遊技盤及び／又は前記フレーム部材が、複数の合成樹脂製部材を連結してなるパチンコ機であって、
前記合成樹脂製部材同士が、一方の部材に設けられた凸部を、他方の部材に設けられた凹部に嵌合させるとともに、嵌合状態にある前記凸部と前記凹部との間に跨って金属部材を添設させた状態で連結されていることを特徴とするパチンコ機。
【請求項２】
前記金属部材は、その一端が前記凹部の内部で前記凹部を有する合成樹脂製部材に固着されている一方、他端が前記凹部から突出して、前記凹部の外部で前記凸部を有する合成樹脂製部材に固着されており、前記合成樹脂製部材同士は、前記金属部材を介して連結されていることを特徴とする請求項１に記載のパチンコ機。
【請求項３】
前記合成樹脂製部材に、前記金属部材をネジ止めするための位置決め孔を穿設するとともに、前記位置決め孔の開口部に、螺着されたネジのネジ頭を埋入するための凹状の埋入部を形成したことを特徴とする請求項２に記載のパチンコ機。
【請求項４】
前記凹部を有する合成樹脂製部材に、前記金属部材をネジ止めするための位置決め孔を穿設するとともに、前記金属部材に、前記凸部を有する合成樹脂製部材をネジ止めするための位置決め孔を開設し、前記凹部を有する合成樹脂製部材又は前記金属部材に形成する位置決め孔を、前記凸部の前記凹部への嵌合方向に長い長円状に形成したことを特徴とする請求項２又は３に記載のパチンコ機。
【発明の詳細な説明】
【技術分野】
【０００１】
本発明は、合成樹脂製の遊技盤を有するパチンコ機に関するものである。
【背景技術】
【０００２】
従来のパチンコ機としては、例えば特許文献１のように、遊技盤を嵌め込むフレーム枠を、取り扱いを簡便にするために複数部材に分離形成し、隣り合う部材同士を互いに嵌め合わせて連結したものがある。
【０００３】
【特許文献１】特開平０７−３２８２１４号公報
【発明の開示】
【発明が解決しようとする課題】
【０００４】
しかしながら、このようなパチンコ機においては、連結部の強度を確保するため、その連結部をある程度以上の厚みに形成しなければならないという課題を有している。
この課題を解決すべく、本発明は、遊技盤及びフレームを複数の部材から形成する際、連結部の厚みを薄くしても十分な強度を有するパチンコ機を提供しようとするものである。
【課題を解決するための手段】
【０００５】
かかる本発明のうち請求項１に記載された発明は、パチンコ機本体を支持する機枠に、遊技球が流下する遊技領域を前面に有する遊技盤が、フレーム状部材を介して設置されてなり、前記遊技盤及び／又は前記フレーム部材が、複数の合成樹脂製部材を連結してなるパチンコ機であって、前記合成樹脂製部材同士が、一方の部材に設けられた凸部を、他方の部材に設けられた凹部に嵌合させるとともに、嵌合状態にある前記凸部と前記凹部との間に跨って金属部材を添設させた状態で連結されていることを特徴とする。
【０００６】
請求項２に記載された発明は、請求項１に記載された発明において、前記金属部材は、その一端が前記凹部の内部で前記凹部を有する合成樹脂製部材に固着されている一方、他端が前記凹部から突出して、前記凹部の外部で前記凸部を有する合成樹脂製部材に固着されており、前記合成樹脂製部材同士は、前記金属部材を介して連結されていることを特徴とする。
【０００７】
請求項３に記載された発明は、請求項１又は２に記載された発明において、前記合成樹脂製部材に、前記金属部材をネジ止めするための位置決め孔を穿設するとともに、前記位置決め孔の開口部に、螺着されたネジのネジ頭を埋入するための凹状の埋入部を形成したことを特徴とする。
【０００８】
請求項４に記載された発明は、請求項２又は３に記載された発明において、前記凹部を有する合成樹脂製部材に、前記金属部材をネジ止めするための位置決め孔を穿設するとともに、前記金属部材に、前記凸部を有する合成樹脂製部材をネジ止めするための位置決め孔を開設し、前記凹部を有する合成樹脂製部材又は前記金属部材に形成する位置決め孔を、前記凸部の前記凹部への嵌合方向に長い長円状に形成したことを特徴とする
【発明の効果】
【０００９】
請求項１に記載の発明によれば、複数の部材を連結してなる遊技盤又はフレーム部材において、これら部材間を、凸部と凹部との嵌合に加え、凸部と凹部との間に金属部材を介在させて連結する。したがって、連結部の強度が十分確保されるため、凸部及び凹部の厚みを薄く形成することができる。
【００１０】
請求項２に記載の発明によれば、金属部材の一端は凹部と固着させ、他端は凸部を備えた部材本体と固着させることで、金属部材が凹部内に位置する凸部には固着していないため、薄く形成されがちな凸部を破損させることなく、部材同士を連結することができる。
【００１１】
請求項３に記載の発明によれば、部材間を連結するためのネジ孔において、ネジ頭を埋入するための凹状の埋入部を形成することで、連結部分の表面が水平となり、連結部に他部材を載置してもグラつくことがない。
【００１２】
請求項４に記載の発明によれば、凹部を有する部材又は凸部を有する部材に形成するネジ孔を、凸部の凹部への嵌合方向に長い長円状に形成することで、２つのネジ孔が重なる領域が増えるため、ネジ孔の位置がズレた部材を用いて一体形成する場合でも、部材間の連結具合を調節し、その部材の取り付け規格に合わせて形成することができる。
【発明を実施するための最良の形態】
【００１３】
以下、本発明のパチンコ機の一実施形態について、図面に基いて詳細に説明する。
【００１４】
図１におけるパチンコ機１は、パチンコ機１本体を支持する機枠２に、金属製のフレーム部材であるミドル枠（図示せず）を介して遊技盤１０を設置すると共に、該遊技盤１０の前方を閉塞可能な前扉３を片開き自在に取り付けてなるものである。そして、該前扉３により閉塞される遊技盤１０の前方空間（遊技盤１０の前面）を、遊技球が流下する略円形の遊技領域１１としている。
【００１５】
遊技領域１１は、円弧状に配設された外レール１２や内レール１３等により囲まれており、当該遊技領域１１へは、外レール１２と内レール１３との間に形成される発射通路を介して遊技球を打ち込み可能となっている。また、遊技領域１１の略中央には、「０」〜「９」の数字や絵柄等からなる「図柄」を表示する図柄表示領域２２や、遊技球を左右へ揺動させるステージ部材２０が設置されていると共に、当該ステージ部材２０上へ遊技球を導くための誘導部材（図示せず）、及びステージ部材２０の上方に形成される図柄表示領域２２への遊技球の進入を防止する庇部材２１等を組み付けてなるセンター部材が設置されている。
また、遊技領域には、多数の遊技釘（図示せず）、遊技球が通過可能なゲート部材１４、一対の爪片を開閉動作可能に備えたチューリップ式電動役物１５、開閉可能な扉部材を有する大入賞装置１６、遊技球が入賞可能な入賞部材１７、１７・・、風車２３等が設置されている。
【００１６】
遊技盤１０の下方には、遊技球を発射装置（図示せず）へ供給するための供給皿４、及び該供給皿４から溢れた遊技球を貯留するための貯留皿５が機枠２に対して片開き可能に取り付けられている。また、貯留皿５の近傍には、発射装置を作動させるための発射ハンドル６、音声や効果音による演出を行うためのスピーカ７等が設置されている。
さらに、遊技盤１０の後面には、「図柄」を図柄表示領域２２内に表示させるための液晶表示装置（表示装置）、遊技に係る制御（例えば、所謂「大当たり抽選」や液晶表示装置における表示制御等）を行う制御装置等が設置されている。
【００１７】
以上のようなパチンコ機１では、遊技者によって発射ハンドル６が回動操作されると、発射装置が作動して遊技球が遊技領域１１内へ打ち込まれる。そして、遊技領域を流下する遊技球がチューリップ式電動役物１５へ入賞すると、制御装置にて所謂「大当たり抽選」を行い、「大当たり」である場合には、図柄表示領域２２に所定態様の図柄を確定表示した後、大入賞装置１６の扉部材を所定回数にわたって断続的に開成させるといった所謂「大当たり状態」を生起させる。
【００１８】
以下、本発明の遊技盤の構成について、図２〜５に基いて詳細に説明する。図２は、板状部材３１と土台部材３２とから成る遊技盤１０を前面側から示した説明図であり、図３は、板状部材３１を示した図であり、図４は、土台部材３２を示した図である。さらに、図５は、図４に示した土台部材３２を分割した図である。
【００１９】
遊技盤１０は、一枚板状に形成された板状部材３１と、該板状部材３１の後面側で、該板状部材３１全体を嵌め込んで固着される土台部材３２とからなる。
板状部材３１は、アクリル樹脂から成形された透明な略円形の板状体であって、その前面には、複数の障害釘が植設されている。
【００２０】
土台部材３２は、図４に示すように、板状部材３１よりも耐熱性の高い合成樹脂（例えば、ポリカーボネート）により成形され、正面から見た際に、左上隅部、右上隅部、右下隅部、及び左下隅部にそれぞれ対応する格子部材５１，５２，５３，及び５４を連結してなる。そのうち、格子部材５１と格子部材５４との連結部には、格子部材５４の凸部７４を補強するため、格子部材５１から格子部材５４にかけて、金属部材として金属板１８が取り付けられている。また、各格子部材５１〜５４は、底板部分からリブ片を突出させ、また上下方向及び左右方向に直交させた格子構造を備えている。さらに、土台部材３２の前面側の内周縁には、板状部材３１と略同形の凹状の嵌め込み部３３が形成されている。
【００２１】
左上隅部の格子部材５１は、図５に示すように、略円弧状の一辺を持つ略三角形状で、右上隅部の格子部材５２と接する右端部には、格子部材５２の凹部６２内へ嵌入可能な凸部７１を、左下隅部の格子部材５４と接する下端部には凹部６１をそれぞれ設けている。凸部７１には、凹部６２にネジ止めするための円形状のネジ孔７１ａ，７１ａが設けられている。また凹部６１には、凹部６１に嵌入させた金属板１８をネジ止めするための、ネジの位置決め孔６１ｃ，６１ｃが設けられている。その位置決め孔６１ｃ，６１ｃは、その開口部に、前面から後面に向けて径が徐々に小さくなったすり鉢状の埋入部を備えており、その前面側の径がネジ頭部の径より大きい。さらに格子部材５１の右半分は、土台部材３２の組み立て状態において嵌め込み部３３を形成する凹状の段部３３ａとなっている。
【００２２】
右上隅部の格子部材５２は、上記格子部材５１同様の略三角形状で、左上隅部の格子部材５１と接する左端部には凹部６２を、右下隅部の格子部材５３と接する下端部には、格子部材５３の凹部６３内へ嵌入可能な凸部７２をそれぞれ設けている。凹部６２には、凸部７１にネジ止めするための円形状のネジ孔６２ａ，６２ａが設けられている。また凸部７２には、凹部６３にネジ止めするための円形状のネジ孔７２ａ，７２ａが設けられている。さらに、格子部材５２の左半分は、土台部材３２の組み立て状態において嵌め込み部３３を形成する凹状の段部３３ｂとされている。加えて、該格子部材５２の上部右側縁は、遊技盤１０をミドル枠に設置するための切り欠きが形成されている。
【００２３】
右下隅部の格子部材５３は、上記格子部材５１同様の略三角形状で、右上隅部の格子部材５２と接する上端部に凹部６３を設け、左下隅部の格子部材５４と接する左端部には凹部７３を設けている。凹部６３には、凸部７２にネジ止めするための円形状のネジ孔６３ａ，６３ａが設けられている。また凹部７３には、格子部材５４の凸部６４にネジ止めするための円形状のネジ孔７３ａ，７３ａが設けられている。さらに、格子部材５３の左半分は、土台部材３２の組み立て状態において嵌め込み部３３を形成する凹状の段部３３ｃとされている。加えて、該格子部材５３の下部右側縁は、遊技盤１０をミドル枠に設置するための切り欠きが形成されている。
【００２４】
左下隅部の格子部材５４は、上記格子部材５１同様の略三角形状で、左上隅部の格子部材５１と接する上端部には、凹部６１内へ嵌入可能な凸部７４を、右下隅部の格子部材５３と接する右端部には、凹部７３内へ嵌入可能な凸部６４を設けている。凸部７４には、その先端角部に切り欠き７４ｅと、その基部側にネジ軸より大きな外径の円形状の丸孔７４ｆとが設けられている。また、凸部７４の基部には、金属板１８の略半分の長さで、且つ金属板１８の厚みより若干深い窪み８４が形成されている(図６)。窪み８４内には、金属板１８をネジ止めするための円形状のネジ孔８４ｄ，８４ｄが設けられている。さらに、凸部６４には、凹部７３にネジ止めするための円形状のネジ孔６４ａ，６４ａが設けられている。またさらに、格子部材５４の右半分は、土台部材３２の組み立て状態において嵌め込み部３３を形成する凹状の段部３３ｄとされている。それに加えて、格子部材５３前面に形成された嵌め込み部３３の下辺部には、突起部８０，８０・・が一定間隔で設けられている。当該突起部８０，８０・・は、板状部材３１に接する先端部分が基端部分より幅狭且つ丸みを帯びて形成されており、板状部材３１を土台部材３２に嵌め込んだ際に、その突起部８０，８０・・の先端で板状部材３１を支持可能としている。
【００２５】
以下に、図６〜図８を用いて、格子部材５１〜５４の連結について説明する。
まず、格子部材５１の凸部７１と格子部材５２の凹部６２とを嵌合させ、重なったネジ孔７１ａ，７１ａとネジ孔６２ａ，６２ａとにネジを螺入し、格子部材５１と格子部材５２とを連結する。次に、格子部材５２の凸部７２と格子部材５３の凹部６３とを嵌合させ、重なったネジ孔７２ａ，７２ａとネジ孔６３ａ，６３ａとにネジを螺入し、格子部材５２と格子部材５３とを連結する。さらに、格子部材５３の凹部７３と格子部材５４の凸部６４とを嵌合させ、重なったネジ孔７３ａ，７３ａとネジ孔６４ａ，６４ａとにネジを螺入し、格子部材５３と格子部材５４とを連結する。
【００２６】
そして、格子部材５１と格子部材５４とは、他の格子部材同士の連結と異なり、下記金属板１８を介して連結している。
金属板１８は、左右幅が格子部材５４の凸部７４と略同じ幅で、上下の長さが凸部の略２倍の長さに形成されている。図７（ａ）に示すように、金属板１８には２つのネジ孔１８ｃ，１８ｃと２つのネジの位置決め孔１８ｄ，１８ｄとが設けられており、上側２つのネジ孔１８ｃ，１８ｃは、格子部材５１とネジ止めするためのもので、下側２つの位置決め孔１８ｄ，１８ｄは、格子部材５４とネジ止めするためのものである。
【００２７】
また、金属板１８を介して格子部材５１と格子部材５４とを連結するにあたっては、初めに、図７（ｂ）に示すように、金属板１８を格子部材５４の凸部７４から窪み８４にかけて載置し、金属板１８と凸部７４とを一緒に格子部材５１の凹部６１に挿入する。次に、図７（ｃ）に示すネジ孔のうち、最初に凹部６１の位置決め孔６１ｃ，６１ｃと金属板１８のネジ孔１８ｃ，１８ｃとをネジ止めして、凹部６１に金属板１８を取り付ける。この時、ネジの先端は、図８に示すように、切り欠き７４ｅもしくは丸孔７４ｆに位置しているため、凸部７４はネジ止めされない。さらに、ネジ頭部は、位置決め孔６１ｃに設けられた埋入部によって、格子部材５１の表面から埋入している。
次に、金属板１８の位置決め孔１８ｄ，１８ｄと窪み８４のネジ孔８４ｄ，８４ｄとをネジ止めする。すると、格子部材５１と格子部材５４とが金属板１８によって連結され、土台部材３２が一体成形される。また、窪み８４は金属板１８の厚みより若干深く形成されており、この時ネジは、窪み８４内に設けられたネジ孔８４ｄ，８４ｄに螺入しているため、ネジ頭部が格子部材５４の表面から埋入した状態になる(図８）。
【００２８】
本実施例の格子部材５１及び格子部材５４は、金属板１８を介して連結され、凹部６１に嵌合させる凸部７４が金属板１８に補強されるため、凸部７４を薄く形成することが可能となる。したがって、凸部７４を陥入させる凹部６１内の空間を減らし、凹部６１の後面を十分な厚さに形成して強度を確保しつつ、連結部全体としては厚みを薄くすることを可能にする。
【００２９】
また、格子部材５４の凸部７４は、金属板１８が補強するため厚く形成する必要がなく、本実施例では薄く形成されている。したがって、金属板１８を凸部７４に直接ネジ止めすると、凸部７４が破損してしまうおそれがある。そこで、金属板１８は、一端を格子部材５１の凹部６１にネジ止めし、その他端を、格子部材５４の凸部７４ではなく、凸部７４の基部に位置する溝８４にネジ止めしている。すなわち、凹部６１内に位置する凸部７４には何もネジ止めされないため、凸部７４を破損させることなく、格子部材５１と格子部材５４とを連結することができる。
【００３０】
さらに、本実施例の格子部材５１及び格子部材５４の連結部は、図８に示すように、前面側から格子部材５１、金属板１８、及び格子部材５４の三層構造になっている。そして、位置決め孔６１ｃから挿通されたネジの先端は、凸部７４においては、切り欠き７４ｅもしくは丸孔７４ｆに位置し、凸部７４自体には接触しないため、薄く成型されている凸部７４をネジの螺合やめり込みによって破損することから回避できる。
【００３１】
そして、本実施例の格子部材５１及び格子部材５４の連結部は、板状部材３１を載置する嵌め込み部に位置しているため、表面を水平にする必要がある。よって、この連結部においては、前面に位置する凹部６１の位置決め孔６１ｃの開口部に、前面から後面に向けて径が徐々に小さくなったすり鉢状の埋入部を形成した。また、この埋入部の前面側の径は、ネジ頭部の径よりも大きく形成しているため、ネジの頭部が埋入され表面から飛び出ることがなくるため、連結部の表面が水平となり、板状部材３１を載置してもグラつくことがない。
【００３２】
なお、本発明のパチンコ機１の構成は、上記実施形態の態様に何ら限定されるものではなく、凹部、凸部、金属板及び突起部８０，８０・・の形状・構造等の構成を、本発明の趣旨を逸脱しない範囲で適宜変更することができる。
【００３３】
また、本実施例において、凹部及び凸部の素材には、土台部材３２と同じポリカーボネート樹脂を採用し一体成形しているが、耐熱性プラスチックを採用し別成形した後に固着することも可能である。さらに、エポキシ系樹脂、フェノール系樹脂、メラミン系樹脂、尿素系樹脂等のいずれかを用いてもよい。
【００３４】
また、本実施例においては、金属板１８を格子部材５１及び格子部材５４の連結部のみに取り付けているが、これに限らず、他の連結部においても、金属板１８を介して連結させることで、本実施例のように連結部の厚みを薄くすることができる。
【００３５】
そして、本実施例においては、格子部材５１〜５４におけるネジ孔は、全て円形状に形成しているが、凹部又は凸部のどちらか一方のネジ孔を凸部の嵌入方向に長い長円状に形成してもよい。それによって、２つのネジ孔が重なる領域が増えるため、２つの格子部材を嵌合させる場合、格子部材同士の連結位置を多少調節することが可能となる。したがって、各格子部材成型時の加工誤差や、成型後の温度変化等に起因する形状変化によって、寸法に多少の狂いを生じた格子部材を用い土台部材３２を形成する場合であっても、格子部材間の連結具合を調節できるため、土台部材３２は、板状部材３１の嵌め込みやミドル枠への取り付けの規格に合わせて形成することができる。
【００３６】
また、凹部又は凸部のどちらか一方のネジ孔を長円状に形成する場合、外側に位置する凹部側に長円状のネジ孔を設け、内側に位置する凸部側に円形状のネジ孔を設けた方がよい。それによって、ネジの頭部が凹部側に当着し、ネジの軸部が凸部側のネジ孔に螺合できるため、２つの格子部材を強固に連結することができる。
【００３７】
次いで、金属部材で補助される連結部において、どちらか一方のネジ孔を長円状に形成する場合について、以下に説明する。仮に本実施例の格子部材５１及び格子部材５４の連結部で、凹部側に長円状のネジ孔を設ける場合は、凹部６１に設けられた位置決め孔６１ｃを長円状に形成することになる。その場合、重なる位置決め孔６１ｃ及びネジ孔１８ｃのうち、位置決め孔６１ｃにおいては、格子部材５１と金属板１８との連結具合の調節がなされるとともに、ネジ頭部が当着する。また、ネジ孔１８ｃにおいては、ネジ軸部が螺合して、板状部材５１と金属部材１８とが固定される。さらに、位置決め孔６１ｃは、ネジ頭部が埋入可能な横幅の長円形に形成することで、連結部上に板状部材３１を安定に載置することが可能になる。
【００３８】
一方、凸部側に長円状のネジ孔を設ける場合は、金属板１８に設けられたネジ孔１８ｄを長円状に形成することになる。その場合、重なるネジ孔１８ｄ及びネジ孔８４ｄのうち、ネジ孔１８ｄにおいては、金属板１８と格子部材５４との連結具合の調節がなされるとともに、ネジ頭部が当着する。また、ネジ孔８４ｄにおいては、ネジ軸部が螺合して、金属部材１８と板状部材５４とが固定される。さらに、金属板１８のネジ孔１８ｄを長円状に形成すると、ネジ頭部をネジ孔１８ｄに当接させ強く締め付けたとしても、合成樹脂部材と比較して、締め付けに耐えて破損しにくいという利点がある。
【００３９】
また、突起部８０、８０・・は、上記実施例の如く、突起部８０、８０・・を土台部材３２に一体的に成形したものに限定されず、別個に形成された突起部８０、８０・・を接着する方法等の、一体成形とは他の方法によって土台部材に突起部を設けたものでもよい。さらに、突起部８０、８０・・の材質は、土台部材３２と同じ材質（合成樹脂等）である必要はなく、土台部材３２の材質と異ならせることも可能である。加えて、その様に突起部８０、８０・・の材質を土台部材３２と異ならせる場合には、突起部８０、８０・・の材質を、突起部と接する板状部材３２との間に摩擦が生じにくいような素材（すなわち、合成ゴムや天然ゴム等の摩擦係数が高い弾性材料を除く）とすることが好ましい。かかる構成を採用することによって、板状部材３１は、横方向に膨張または収縮する際に、板状部材３１と突起部８０、８０・・との間に生じる摩擦によって、板状部材３１の横方向への動きが抑制されることなく、歪みが生じにくい。
【００４０】
さらに、突起部８０、８０・・は、上記実施形態の如く、突起部を等間隔で設けたものに限定されず、突起部同士の間隔や配置や、突起部の数を必要に応じて適宜変更することができる。加えて、突起部の形状は、上記実施形態の如く、半球状のものでもよいが、それに限定されず、四角形状のもの、もしくは三角形、あるいは円柱状のベース部の先端に半球状の当節部分を設けたＵ字形ものを用いることも可能で、必要に応じて適宜変更することができる。
【図面の簡単な説明】
【００４１】
【図１】パチンコ機の前面を示した説明図である。
【図２】板状部材と土台部材とからなる遊技盤の説明図である。
【図３】板状部材の説明図である。
【図４】土台部材の説明図である。
【図５】土台部材を構成している格子部材の説明図である。
【図６】（ａ）格子部材５１及び格子部材５４の連結部の拡大図である、（ｂ）(ａ）のＡ−Ａ断面図である。
【図７】格子部材５１と格子部材５４との連結方法の説明図である。（ａ）金属板１８の説明図である、（ｂ）凸部７４に金属板１８を載置した図である、（ｃ）格子部材５１及び格子部材５４が金属板１８によって連結された図である。
【図８】格子部材５１と格子部材５４との連結部の断面図である。
【符号の説明】
【００４２】
１・・パチンコ機、１０・・遊技盤、１２・・外レール（レール部材）、１３・・内レール（レール部材）、１８・・金属板、１８ｃ・・金属板のネジ孔、１８ｄ・・金属板の位置決め孔、３１・・板状部材、３２・・土台部材、５１〜５４・・格子部材、６１，６２，６３，７３・・格子部材の凹部、６４，７１，７２，７４・・格子部材の凸部、６１ｃ・・凹部６１の位置決め孔。
【図１】
2010075282.tif 000003
【図２】
2010075282.tif 000004
【図３】
2010075282.tif 000005
【図４】
2010075282.tif 000006
【図５】
2010075282.tif 000007
【図６】
2010075282.tif 000008
【図７】
2010075282.tif 000009
【図８】
2010075282.tif 000010